(57)【要約】【課題】観賞者の位置が表示画面に対して正対していない位置や遠い位置である場合においても、観賞者が所望する特定情報を認識しやすい最適な形状で表示できるようにする。【解決手段】放送信号受信部２０１で受信した放送信号に含まれる少なくとも１つ以上の特定情報に対して表示要求を指示する表示要求部２０２と、表示要求された特定情報を放送信号から取得する特定情報取得部２０３と、観賞者との位置関係を検出して位置情報を取得する位置情報取得部２０４と、当該位置情報に基づいて透視変換に関するパラメータを決定する変換パラメータ決定部２０５と、特定情報に係るデータに対して変換パラメータ決定部２０５により決定したパラメータに基づく透視変換処理を施して変換データを生成する変換データ生成部２０６と、放送信号に基づく画像に対して変換データに基づく画像を重畳して表示部１０７に表示する画像重畳部２０８を具備する。【選択図】図２
2008096535.tif 000002
【特許請求の範囲】
【請求項１】
放送信号を受信する受信手段と、
前記受信手段により受信した放送信号に含まれる少なくとも１つ以上の特定情報に対して表示要求を指示する表示要求手段と、
前記表示要求手段により要求された特定情報を前記放送信号から取得する特定情報取得手段と、
観賞者との位置関係を検出して位置情報を取得する位置情報取得手段と、
前記位置情報取得手段により取得した位置情報に基づいて、透視変換に関するパラメータを決定するパラメータ決定手段と、
前記特定情報取得手段により取得した特定情報に係るデータに対して、前記パラメータ決定手段により決定したパラメータに基づく透視変換処理を施して変換データを生成する変換データ生成手段と、
前記受信手段により受信した放送信号に基づく画像に対して、前記変換データ生成手段により生成された変換データに基づく画像を重畳して表示媒体に表示する画像重畳手段と
を有することを特徴とする表示装置。
【請求項２】
前記変換データ生成手段で生成された変換データを蓄積する変換データ蓄積手段を更に有し、
前記画像重畳手段は、前記放送信号に基づく画像に対して、前記変換データ蓄積手段に蓄積された変換データに基づく画像を重畳して前記表示媒体に表示することを特徴とする請求項１に記載の表示装置。
【請求項３】
前記位置情報取得手段は、前記観賞者が操作する遠隔操作装置との位置関係から前記位置情報を取得することを特徴とする請求項１又は２に記載の表示装置。
【請求項４】
前記変換データは、ベクトル情報により表現されることを特徴とする請求項１乃至３のいずれか１項に記載の表示装置。
【請求項５】
前記パラメータ決定手段は、前記位置情報に応じて前記透視変換に関するパラメータを決定するか否かを判定することを特徴とする請求項１乃至４のいずれか１項に記載の表示装置。
【請求項６】
前記パラメータ決定手段は、前記位置情報に応じて前記変換データにおける拡大率を決定し、前記透視変換に関するパラメータに対して変更を加えることを特徴とする請求項１乃至５のいずれか１項に記載の表示装置。
【請求項７】
前記画像重畳手段は、前記位置情報及び前記変換データに基づく画像によって、当該画像の前記表示媒体への表示位置を調整することを特徴とする請求項１乃至６のいずれか１項に記載の表示装置。
【請求項８】
前記変換データに基づく画像の表示位置、その拡大率及びその色のうち、少なくともいずれか１つをあらかじめ設定することを特徴とする請求項１乃至７のいずれか１項に記載の表示装置。
【請求項９】
前記特定情報に係るデータに対して前記透視変換処理を行うか否かを切り替える切替手段を更に有することを特徴とする請求項１乃至８のいずれか１項に記載の表示装置。
【請求項１０】
前記切替手段は、当該表示装置の本体に設けられた操作手段であることを特徴とする請求項９に記載の表示装置。
【請求項１１】
前記変換データは、１つあるいは複数のレイヤーの重ね合わせで構成されるものであることを特徴とする請求項１乃至１０のいずれか１項に記載の表示装置。
【請求項１２】
放送信号を受信する受信手段を具備する表示装置の制御方法であって、
前記受信手段により受信した放送信号に含まれる少なくとも１つ以上の特定情報に対して表示要求を指示する表示要求ステップと、
前記表示要求ステップにより要求された特定情報を前記放送信号から取得する特定情報取得ステップと、
観賞者との位置関係を検出して位置情報を取得する位置情報取得ステップと、
前記位置情報取得ステップにより取得した位置情報に基づいて、透視変換に関するパラメータを決定するパラメータ決定ステップと、
前記特定情報取得ステップにより取得した特定情報に係るデータに対して、前記パラメータ決定ステップにより決定したパラメータに基づく透視変換処理を施して変換データを生成する変換データ生成ステップと、
前記受信手段により受信した放送信号に基づく画像に対して、前記変換データ生成ステップにより生成された変換データに基づく画像を重畳して表示媒体に表示する画像重畳ステップと
を有することを特徴とする表示装置の制御方法。
【請求項１３】
請求項１２に記載の表示装置の制御方法をコンピュータに実行させるためのプログラム。
【発明の詳細な説明】
【技術分野】
【０００１】
本発明は、放送信号を受信する受信手段を具備する表示装置、その制御方法及び当該制御方法をコンピュータに実行させるためのプログラムに関する。
【背景技術】
【０００２】
近年、テレビ等のディスプレイなどの大型化、視野角の拡大に伴い、ディスプレイに対して、観賞者が遠い位置や正対面していない位置からリモートコントローラなどで操作するようになった。しかしながら、特に、ディスプレイに対して観賞者が正対面していない位置からその画面をみると、小さなアイコンや文字などは、潰れてしまうため認識し難くなる。また、ディスプレイの画面から離れることによって、観賞者によってはチャンネル名、メニュー、番組タイトルなどの付加情報（特定情報）が見難くなることがある。
【０００３】
従来の表示装置においては、透視変換により投影した映像の歪みを補正する技術があった（例えば、下記の特許文献１参照）。この方法は、投影する映像に透視変換を適用することによって、投影面に対して正対していない位置から投影しても、当該投影面に正対している観賞者が見て違和感のない映像を映し出すというものである。
【０００４】
【特許文献１】特開２００５−６４６６７号公報
【発明の開示】
【発明が解決しようとする課題】
【０００５】
しかしながら、従来の表示装置では、その画面に表示される文字やアイコンなどの特定情報に対して、部分的に透視変換を適用することが困難であった。また、従来の表示装置では、その画面に正対している鑑賞者を基準として補正を行なうため、画面に正対していない鑑賞者に対して最適な補正を行なうことができなかった。
【０００６】
本発明は上述の問題点にかんがみてなされたものであり、観賞者の位置が表示画面に対して正対していない位置や遠い位置である場合においても、観賞者が所望する特定情報を認識しやすい最適な形状で表示できるようにすることを目的とする。
【課題を解決するための手段】
【０００７】
上記の課題を解決するために本発明は、放送信号を受信する受信手段と、前記受信手段により受信した放送信号に含まれる少なくとも１つ以上の特定情報に対して表示要求を指示する表示要求手段と、前記表示要求手段により要求された特定情報を前記放送信号から取得する特定情報取得手段と、観賞者との位置関係を検出して位置情報を取得する位置情報取得手段と、前記位置情報取得手段により取得した位置情報に基づいて、透視変換に関するパラメータを決定するパラメータ決定手段と、前記特定情報取得手段により取得した特定情報に係るデータに対して、前記パラメータ決定手段により決定したパラメータに基づく透視変換処理を施して変換データを生成する変換データ生成手段と、前記受信手段により受信した放送信号に基づく画像に対して、前記変換データ生成手段により生成された変換データに基づく画像を重畳して表示媒体に表示する画像重畳手段とを有する表示装置等を提供する。
【発明の効果】
【０００８】
本発明によれば、観賞者の位置が表示画面に対して正対していない位置や遠い位置である場合においても、観賞者が所望する特定情報を認識しやすい最適な形状で表示することが可能となる。
【発明を実施するための最良の形態】
【０００９】
以下、本発明の実施形態について、添付図面を参照しながら詳細に説明する。
【００１０】
図１は、本発明の実施形態に係る表示装置のシステム構成の一例を示すブロック図である。ここで、図１には、本発明の実施形態に係る表示装置１００と、遠隔操作装置１５０を有する表示システムが図示されている。
【００１１】
図１において、ＣＰＵ（Central Processing Unit）１０１は、各種の演算処理等を行う。
【００１２】
ＲＯＭ（Read Only Memory）１０２は、ＣＰＵ１０１の変更を必要としない制御プログラムや各種固定データを格納する。ＲＡＭ（Random Access Memory）１０３は、例えば、ＳＲＡＭやＤＲＡＭ等で構成され、外部装置などから供給されるデータや変更された制御プログラム等を一時的に格納する。また、ＲＡＭ１０３は、各種の設定パラメータや各種のワーク用バッファも格納する。
【００１３】
外部記憶部１０４は、表示装置１００に固定して設置されたハードディスクやメモリカード、あるいは、表示装置１００から着脱可能なフレキシブルディスク（ＦＤ）やCompact Disk（ＣＤ）等の光ディスク、磁気カードや光カード、ＩＣカード、メモリカードなどから構成されるものである。図１においては、この外部記憶部１０４を、表示装置１００の一構成としているが、当該表示装置１００内に含めずに構成するようにしてもよい。
【００１４】
センサ１０５は、表示装置１００の外部に設けられた遠隔操作装置１５０からの操作信号などを感知するものである。
【００１５】
操作部１０６は、少なくとも１つ以上のハードウェアキーやキーボード、マウス等で構成され、操作者（オペレータ）が設定等の各種入力操作を行うためのものである。
【００１６】
表示部１０７は、文字列やデータなどを表示する表示媒体である。例えば、表示部１０７は、ＬＥＤ等の液晶表示素子で構成された小面積の表示部であってもよい。また、表示部１０７上にタッチパネルを設け、ペン入力による操作部１０６を実現してもよい。
【００１７】
制御部１０８は、表示装置１００全体を統括的に制御し、また、操作部１０７や表示部１０８の制御もここで行われる。なお、この制御部１０８による機能をＣＰＵ１０１で行うようにして、当該制御部１０８をＣＰＵ１０１に含めるようにした形態であってもよい。
【００１８】
アンテナ１０９は、外部から電波等の信号を受信したり、外部に電波等の信号を送信したりする。
【００１９】
バス１１０は、ＣＰＵ１０１、ＲＯＭ１０２、ＲＡＭ１０３、外部記憶部１０４、センサ１０５、操作部１０６、表示部１０７、制御部１０８及びアンテナ１０９を相互に接続する。このバス１１０は、アドレス信号を転送するアドレスバス、制御信号を転送するコントロールバス及び各種データを転送するデータバス等の機能を有する。
【００２０】
遠隔操作装置１５０は、表示装置１００に対して無線又は有線で、操作者による操作信号を送信する。そして、遠隔操作装置１５０から送信された操作信号は、センサ１０５で受信される。
【００２１】
図１に示した構成は、本発明の実施形態に係る表示装置１００の一部の構成を示したものであり、例えば、更に、Ｉ／Ｏ部を具備し、ＬＡＮ（Local Area Network）などを介して、他の複数の機器と互いに通信可能に構成されていてもよい。また、表示装置１００の種類によっては、モデム、スピーカ、チューナー等が更に構成に加わる場合もある。また、ソフトウエア等で本発明を実現する場合等には、図１に示す各ブロックを必ずしも当該表示装置内に有していなくてもよい。
【００２２】
次に、表示装置１００の機能構成について説明する。
図２は、本発明の実施形態に係る表示装置の機能構成の一例を示すブロック図である。本実施形態においては、例えば、ＣＰＵ１０１及び／又は制御部１０８、ＲＯＭ１０２に記録されるプログラム、並びに、操作部１０６から、以下の各構成部２０２、２０３、２０５、２０６及び２０８が構成される。また、例えば、アンテナ１０９から以下の放送信号受信部２０１が構成される。また、例えば、ＣＰＵ１０１及び／又は制御部１０８、ＲＯＭ１０２に記録されるプログラム、並びに、センサ１０５から以下の位置情報取得部２０４が構成される。また、例えば、ＲＡＭ１０３又は外部記憶部１０４から以下の変換データ蓄積部２０７が構成される。
【００２３】
表示装置１００は、放送信号受信部２０１、表示要求部２０２、特定情報取得部２０３、位置情報取得部２０４、変換パラメータ決定部２０５、変換データ生成部２０６、変換データ蓄積部２０７、画像重畳部２０８及び表示部１０７を機能構成として有する。
【００２４】
表示要求部２０２により特定情報の表示要求がなされると、特定情報取得部２０３は、要求された特定情報を放送信号受信部２０１で受信した放送信号から取得する。同時に、位置情報取得部２０４は、鑑賞者（遠隔操作装置１５０）との位置関係を検出し、位置情報を取得する。変換パラメータ決定部２０５は、透視変換を考慮したパラメータを決定する。
【００２５】
変換データ生成部２０６は、特定情報取得部２０３で取得した特定情報と、変換パラメータ決定部２０５で決定したパラメータに基づいて、透視変換後のデータを生成する。変換データ生成部２０６で生成された透視変換後のデータは、変換データ蓄積部２０７のバッファメモリに蓄積される。
【００２６】
画像重畳部２０８は、変換データ蓄積部２０７に蓄積されたデータに基づく画像と、放送信号受信部２０１で受信した放送信号に基づく画像とを重ね合わせ、これを表示部２０９に出力する。
【００２７】
図３は、本発明の実施形態に係る表示装置の制御方法の一例を示すフローチャートである。図３の例では、表示装置として、外部からの地上波などの放送信号を受信して表示するテレビを想定している。しかしながら、表示装置として、テレビに限らず小型機器や操作画面であってもよいことは言うまでもない。
【００２８】
はじめに、鑑賞者は、遠隔操作装置１５０を操作して、表示部１０７に表示させたいデータを設定する（ステップＳ３０１）。このステップＳ３０１における表示データとしては、例えば、チャンネル情報、時刻情報、現在表示されている番組の情報、各種アイコンなどのデータが考えられる。
【００２９】
そして、遠隔操作装置１５０から操作信号が送信されると、特定情報取得部２０３は、放送信号受信部２０１で受信した放送信号から、ステップＳ３０１で設定された表示データを特定情報として取得する。同時に、位置情報取得部２０４は、鑑賞者（遠隔操作装置１５０）との位置関係を検出し、位置情報を取得する（ステップＳ３０２）。
【００３０】
続いて、変換パラメータ決定部２０５は、透視変換に関するパラメータを初期化した後（ステップＳ３０３）、位置情報取得部２０４で取得した位置情報から、前記表示データに対して透視投影を考慮した変換をかけるか否かを判定する（ステップＳ３０４）。
【００３１】
ステップＳ３０４で表示データに透視変換をかけると判定された場合、変換パラメータ決定部２０５は、透視変換に関するパラメータを設定する（ステップＳ３０５）。
【００３２】
ステップＳ３０４で表示データに透視変換をかけないと判定された場合、あるいは、ステップＳ３０５の処理が終了した場合には、ステップＳ３０６に進む。ステップＳ３０６では、変換パラメータ決定部２０５は、位置情報取得部２０４で取得した位置情報をもとに、表示データの拡大率を変更するか否かを判定する。
【００３３】
ステップＳ３０６で表示データの拡大率を変更すると判定された場合、ステップＳ３０５で設定した透視変換に関するパラメータに対して変更を加える（ステップＳ３０７）。
【００３４】
ステップＳ３０６で表示データの拡大率を変更しないと判定された場合、あるいは、ステップＳ３０７の処理が終了した場合には、ステップＳ３０８に進む。ステップＳ３０８では、変換データ生成部２０６は、特定情報である表示データを、変換パラメータ決定部２０５で決定されたパラメータに基づいて変換処理を行い、変換データ（透視変換後のデータ）を生成する。その後、この生成された変換データは、変換データ蓄積部２０７に蓄積される。この変換データは、例えば、１つあるいは複数のレイヤーの重ね合わせで構成されている。
【００３５】
続いて、画像重畳部２０８は、放送信号受信部２０１で受信した放送信号に基づく画像に対して、変換データ蓄積部２０７に蓄積された変換データに基づく画像を重ね合わせる（ステップＳ３０９）。そして、画像重畳部２０８は、この合成した画像を表示部１０７に表示する。この際、画像重畳部２０８は、前記位置情報及び前記変換データに基づく画像によって、当該画像の表示部１０７への表示位置を調整する。
【００３６】
なお、本実施形態の表示装置１００においては、変換データに基づく画像の表示位置、その拡大率及びその色のうち、少なくともいずれか１つをあらかじめ設定しておくようにする形態も適用できる。
【００３７】
また、本実施形態においては、例えば、操作部１０６において特定情報に係るデータに対して前記透視変換処理を行うか否かを切り替えるように構成してもよい。
【００３８】
図４は、位置情報取得部２０４による位置情報の取得方法を説明するための模式図である。図４では、表示装置１００に２つの赤外線用のセンサ１５０ａ及び１５０ｂが搭載されており、各センサ１５０ａ及び１５０ｂは、例えばリモコンからなる遠隔操作装置１５０とのそれぞれの距離Ｌ１及びＬ２を測定する。ここで、センサ１５０ａとセンサ１５０ｂとの距離Ｄは、あらかじめ決まっているものとする。
【００３９】
この場合、２つのセンサ１５０ａ及び１５０ｂと遠隔操作装置１５０とがなす三角形が決まるので、表示装置１００と遠隔操作装置１５０のなす角度θが一意に決まり、これを位置情報として取得する。本実施形態では、表示装置１００に２つのセンサ１５０ａ及び１５０ｂを搭載することにより、遠隔操作装置１５０に対する角度θを位置情報として取得する形態を示したが、他の情報を位置情報として取得する形態であっても構わない。
【００４０】
図５は、変換パラメータ決定部２０５による透視変換に関するパラメータの設定方法を説明するための模式図である。図５では、遠隔操作装置１５０により鑑賞者（操作者）の位置情報を取得できるものとするが、他の方法により位置情報を取得するものであってもよい。
【００４１】
図５（ａ）は操作者（遠隔操作装置１５０）に対して、距離ｄだけ離れた場所に垂直に表示部１０７の表示画面が置かれている場合を示している。この場合、表示部１０７の表示画面と並行にｘ軸をとり、ｚ軸は、表示部１０７の表示画面中の任意の点Ｐと、操作者（遠隔操作装置１５０）とを結ぶ直線上に設定する。このとき透視変換に関するパラメータは、初期値である。
【００４２】
図５（ｂ）は、図５（ａ）に示した表示部１０７の表示画面を、ｙ軸に平行な軸に対して角度θだけ回転させた場合を示しており、図５（ａ）の点Ｐは、当該表示画面の回転により点Ｐ'に移る。このときの変換行列をＲとする。また、原点を操作者（遠隔操作装置１５０）の位置にとり、投影面をＺ＝−ｄにとると、操作者（遠隔操作装置１５０）から見て点Ｐ'は、投影面の点Ｐ"に投影される。このときの変換行列をＴとすると、変換後の点Ｐ'及びＰ"の座標、並びに、変換行列Ｒ及びＴは、以下の数式１及び数式２のように表される。
【００４３】
【数１】
2008096535.tif 000003
【００４４】
よって、新規レイヤーの表示データに対して施す逆変換行列Ｔ'は、以下の数式３のように表される。
【００４５】
【数２】
2008096535.tif 000004
【００４６】
本実施形態では、簡略化のため、表示部１０７の表示画面を、ｙ軸に平行な軸に対して回転させているが、ｘ軸に平行な軸に対して回転させた場合についても同様である。
【００４７】
図６は、画像重畳部２０８において、放送信号に基づく画像に対して特定情報に基づく画像を重ね合わせる処理を行った際の表示画像の一例を示す模式図である。ここで、図６では、表示要求された特定情報として、チャンネル情報を適用した場合を示す。
【００４８】
図６（ａ）は、観賞者が正面から表示部１０７の表示画面を見た場合を示しており、当該表示画面の右上に、特定情報であるチャンネル情報に基づく画像６０１が表示されている。図６（ｂ）は、従来の表示装置において観賞者が表示部の表示画面を正面でない斜めの位置から見た場合を示しており、図６（ｃ）は、本発明の実施形態に係る表示装置において観賞者が表示部１０７の表示画面を正面でない斜めの位置から見た場合を示している。
【００４９】
図６（ｃ）から分かるように、本実施形態の表示装置では、観賞者の位置が表示部１０７の表示画面に対して正対していない位置である場合に、チャンネル情報に基づく画像６０１が当該観賞者が認識しやすい最適な形状で表示される。
【００５０】
本実施形態によれば、観賞者の位置が表示部１０７の表示画面に対して正対していない位置や遠い位置である場合においても、観賞者が所望する特定情報を観賞者が認識しやすい最適な形状で表示することが可能となる。
【００５１】
前述した本実施形態に係る表示装置を構成する図２の各手段、並びに表示装置の制御方法を示した図３の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００５２】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【００５３】
また、コンピュータが供給されたプログラムを実行することにより本実施形態に係る表示装置の機能が実現されるだけでなく、そのプログラムがコンピュータにおいて稼働しているＯＳ（オペレーティングシステム）或いは他のアプリケーションソフト等と共同して本実施形態に係る表示装置の機能が実現される場合や、供給されたプログラムの処理の全て、或いは一部がコンピュータの機能拡張ボードや機能拡張ユニットにより行われて本実施形態に係る表示装置の機能が実現される場合も、かかるプログラムは本発明に含まれる。
【図面の簡単な説明】
【００５４】
【図１】本発明の実施形態に係る表示装置のシステム構成の一例を示すブロック図である。
【図２】本発明の実施形態に係る表示装置の機能構成の一例を示すブロック図である。
【図３】本発明の実施形態に係る表示装置の制御方法の一例を示すフローチャートである。
【図４】位置情報取得部による位置情報の取得方法を説明するための模式図である。
【図５】変換パラメータ決定部による透視変換に関するパラメータの設定方法を説明するための模式図である。
【図６】画像重畳部において、放送信号に基づく画像に対して特定情報に基づく画像を重ね合わせる処理を行った際の表示画像の一例を示す模式図である。
【符号の説明】
【００５５】
１００：表示装置
１０１：ＣＰＵ
１０２：ＲＯＭ
１０３：ＲＡＭ
１０４：外部記憶部
１０５、１０５ａ、１０５ｂ：センサ
１０６：操作部
１０７：表示部
１０８：制御部
１０９：アンテナ
１１０：バス
１５０：遠隔操作装置
２０１：放送信号受信部
２０２：表示要求部
２０３：特定情報取得部
２０４：位置情報取得部
２０５：変換パラメータ決定部
２０６：変換データ生成部
２０７：変換データ蓄積部
２０８：画像重畳部
６０１：チャンネル情報に基づく画像
【図１】
2008096535.tif 000005
【図２】
2008096535.tif 000006
【図３】
2008096535.tif 000007
【図４】
2008096535.tif 000008
【図５】
2008096535.tif 000009
【図６】
2008096535.tif 000010